(57)【特許請求の範囲】
【請求項１】
外周面に環状リブが多数並設されているリブ付きの本管の周面に設けられた分岐管接続用開口部の周囲に止水用ゴムシートを被着し、該止水用ゴムシートを介して該本管の該分岐管接続用開口部に分岐管接続用支管を接続する方法であって、
該止水用ゴムシートを該本管の外周面に被着した際に該本管の環状リブが嵌着するリブ溝を、該止水用ゴムシートの該本管の外周面と接触するゴムシート裏面に多数並設しておき、
該止水用ゴムシートを該本管の外周面の適正位置に被着した状態で該本管の環状リブと該止水用ゴムシートを平面視した際に適合するリブ溝位置合わせ用目印を、該ゴムシート裏面以外の部分に設けておき、
該本管の該環状リブと該リブ溝位置合わせ用目印とを目視で適合させながら該環状リブを該リブ溝に嵌着して該止水用ゴムシートを該本管の外周面の適正位置に被着し、その後、該止水用ゴムシート上に該分岐管接続用支管を配置し、該分岐管接続用支管を該本管の該分岐管接続用開口部に接続することを特徴とする分岐管接続用支管の接続方法。
【請求項２】
該本管の外周面に、該本管の管軸に沿った標線を表示しておき、
該止水用ゴムシートのゴムシート裏面以外の部分に、該本管の外周面の適正位置に被着した状態で該本管の外周面に表示された該標線と該止水用ゴムシートを平面視した際に適合する標線位置合わせ用目印を設けておき、
該止水用ゴムシートを、該本管の該標線と該標線位置合わせ用目印とを目視で適合させながら該本管の外周面の適正位置に被着する請求項１記載の分岐管接続用支管の接続方法。
【請求項３】
支管接続用ガイド部材を用いた接続方法であって、
予め該分岐管接続用支管の管内に該支管接続用ガイド部材を内嵌し、かつ該支管接続用ガイド部材の一端を、該分岐管接続用支管における本管に接続されることとなる管端から差し出し、差し出された差出部を該本管の分岐管接続用開口部に挿入可能な寸法形状に設定しておき、
該分岐管接続用支管を該本管の分岐管接続用開口部に接続する際に、該支管接続用ガイド部材の該差出部を該分岐管接続用開口部に挿入しながら該分岐管接続用支管を該本管に被着されている該止水用ゴムシート上に配置する請求項１又は請求項２記載の分岐管接続用支管の接続方法。
【発明の詳細な説明】
【技術分野】
【０００１】
本発明は、止水用ゴムシートを用いてリブ付きの本管に分岐管接続用支管を接続する分岐管接続用支管の接続方法に関するものである。
【背景技術】
【０００２】
従来から、公共ますに接続された分岐管と外周面に環状リブが多数並設されているリブ付きの下水本管（本管）とが接続される場合には、まず該下水本管の周面に設けられた開口部に分岐管接続用支管が接続され、該分岐管接続用支管を介して該分岐管が該下水本管に接続される。
【０００３】
また、該下水本管と該分岐管接続用支管との間には、漏水を防止すべくゴムシール材（止水用ゴムシート）が介装される。例えば特許文献１におけるゴムシール材の内面には、該下水本管のリブが嵌合するリブ嵌合溝が設けられている。そして、該ゴムシール材が該下水本管と該分岐管接続用支管との間に介装された状態で下水本管の各リブがゴムシール材のリブ嵌合溝に嵌合し、水密状態が確保される。
また、特許文献１においては、まずゴムシール材を分岐管接続用支管に組み付けて、それから該分岐管接続用支管に組み付けられた該ゴムシール材の裏面を該下水本管の外周面の適正位置に接触させて、該分岐管接続用支管を該下水本管に接続する構成を採用している。
【先行技術文献】
【特許文献】
【０００４】
【特許文献１】国際公開第ＷＯ０１／０９４８３４号
【発明の概要】
【発明が解決しようとする課題】
【０００５】
しかしながら、上記特許文献１の構成は、分岐管接続用支管の接続の際に作業性が悪いという問題があった。具体的には、通常、分岐管接続用支管の重量は重く、作業員が該分岐管接続用支管を持ち上げながら下水本管の外周面の適正位置（穿孔箇所）に配置し、なおかつ作業員から見にくい箇所にあるゴムシール材の多数のリブ嵌合溝に下水本管に並設されている多数のリブを順次嵌合させることは、非常に手間と労力を要する。
特に、止水効果を高めるべく該リブ嵌合溝の溝巾はリブの厚みに対してほとんど余裕のない寸法に設定されており、しかも上記接続作業時においては溝壁が撓んで該リブ嵌合溝の溝開口が狭まった状態となっていることが多いため、多数のリブ嵌合溝にリブを嵌合させる作業は極めて煩雑で面倒である。
【課題を解決するための手段】
【０００６】
そこで本発明は、上記問題を解決すべく、外周面に環状リブが多数並設されているリブ付きの本管の周面に設けられた分岐管接続用開口部の周囲に止水用ゴムシートを被着し、該止水用ゴムシートを介して該本管の該分岐管接続用開口部に分岐管接続用支管を接続する方法であって、該止水用ゴムシートを該本管の外周面に被着した際に該本管の環状リブが嵌着するリブ溝を、該止水用ゴムシートの該本管の外周面と接触するゴムシート裏面に多数並設しておき、該止水用ゴムシートを該本管の外周面の適正位置に被着した状態で該本管の環状リブと該止水用ゴムシートを平面視した際に適合するリブ溝位置合わせ用目印を、該ゴムシート裏面以外の部分に設けておき、該本管の該環状リブと該リブ溝位置合わせ用目印とを目視で適合させながら該環状リブを該リブ溝に嵌着して該止水用ゴムシートを該本管の外周面の適正位置に被着し、その後、該止水用ゴムシート上に該分岐管接続用支管を配置し、該分岐管接続用支管を該本管の該分岐管接続用開口部に接続することを特徴とする分岐管接続用支管の接続方法を提供するものである。
【０００７】
上記構成において、該止水用ゴムシートのリブ溝位置合わせ用目印と該本管の環状リブとを適合させるように該止水用ゴムシートを該本管に被着すれば、該止水用ゴムシートを適正位置に容易かつ迅速に被着することができる。さらに、該止水用ゴムシートのリブ溝に本管の環状リブをそれぞれ嵌着させる場合にも、作業者は該止水用ゴムシートのみを手に持って作業を行うことができる。したがって、最も煩雑で労力を要した止水用ゴムシートの被着作業の負担が軽くなり、全体として分岐管接続用支管の接続作業が容易となる。また、かかる接続作業が容易となることにより、該分岐管接続用支管の接続不良の発生も低減できる。
【０００８】
また、該本管の外周面に、該本管の管軸に沿った標線を表示しておき、該止水用ゴムシートのゴムシート裏面以外の部分に、該本管の外周面の適正位置に被着した状態で該本管の外周面に表示された該標線と該止水用ゴムシートを平面視した際に適合する標線位置合わせ用目印を設けておき、該止水用ゴムシートを、該本管の該標線と該標線位置合わせ用目印とを目視で適合させながら該本管の外周面の適正位置に被着することが望ましい。
【０００９】
上記構成において、該止水用ゴムシートの標線位置合わせ用目印と該本管に表示されている標線とを適合させるように該止水用ゴムシートを該本管に被着すれば、該止水用ゴムシートを適正位置に被着することができるため、該止水用ゴムシートを被着する際の作業性が極めて良好となり、また該本管に被着した止水用ゴムシートの位置精度も向上する。
【００１０】
また、支管接続用ガイド部材を用いた接続方法であって、予め該分岐管接続用支管の管内に該支管接続用ガイド部材を内嵌し、かつ該支管接続用ガイド部材の一端を、該分岐管接続用支管における本管に接続されることとなる管端から差し出し、差し出された差出部を該本管の分岐管接続用開口部に挿入可能な寸法形状に設定しておき、該分岐管接続用支管を該本管の分岐管接続用開口部に接続する際に、該支管接続用ガイド部材の該差出部を該分岐管接続用開口部に挿入しながら該分岐管接続用支管を該本管に被着されている該止水用ゴムシート上に配置する分岐管接続用支管の接続方法が望ましい。
【００１１】
上記構成において、該支管接続用ガイド部材の差出部による案内作用によって該分岐管接続用支管を該止水用ゴムシート上に容易かつ迅速に配置することが可能となる。
【発明の効果】
【００１２】
本発明は、止水用ゴムシートを用いた本管と分岐管接続用支管との接続作業が容易かつ迅速に行える効果がある。
【図面の簡単な説明】
【００１３】
【図１】下水本管と分岐管接続用支管との接続構造を示す縦断面図
【図２】分岐管接続用支管の分解図
【図３】止水用ゴムシートの外観斜視図
【図４】止水用ゴムシートの正面図
【図５】止水用ゴムシートの側面図
【図６】止水用ゴムシートの裏面図
【図７】図５のＡ−Ａ線断面図
【図８】図５の部分拡大断面図
【図９】ａ）は止水用ゴムシートを本管に被着する前の状態を示す側面図、ｂ）は止水用ゴムシートを下水本管に被着した状態を示す側面図、ｃ）は止水用ゴムシートを下水本管に被着した状態を示す平面図
【図１０】図９ｂの部分拡大断面図
【図１１】使用状態の支管接続用ガイド部材の外観斜視図
【図１２】分岐管接続用支管を取り付ける前の状態を示す側面図
【図１３】分岐管接続用支管を取り付けるときの状態を示す説明縦断面図
【図１４】下水本管と分岐管接続用支管とを側方から示す概略図
【図１５】他の形態の止水用ゴムシートの外観斜視図
【図１６】他の形態の止水用ゴムシートの裏面図
【発明を実施するための形態】
【００１４】
以下、本発明を具体化した実施形態を詳細に説明する。
図１等に示すように、外周面に環状リブ１Ａが多数並設されているリブ付き円筒形状の下水本管（本管）１に分岐管（図示せず）を接続する際には、該下水本管１の周面に設けられた分岐管接続用開口部３に止水用ゴムシート４０を介して分岐管接続用支管２が接続される。
なお、該下水本管１の該環状リブ１Ａは、該下水本管１が埋設された際の土圧に対して強度、剛性を確保するためのものである。また、該分岐管接続用開口部３は、分岐管の配置を考慮しながら、作業現場にてホルソー等の穿孔手段を用いて下水本管１の周壁に貫通状に形成される。但し、該分岐管接続用開口部３を作業現場で形成することに限らず、予め工場等で該分岐管接続用開口部３を形成しておいてもよい。
【００１５】
上記分岐管接続用支管２について図１等に従って説明する。
図１，２に示すように、分岐管接続用支管２は、下水本管１に係止される係止部材６と、該係止部材６に外嵌されて該下水本管１の外周面に装着されるサドル部材７と、該サドル部材７に内挿され、最終的に分岐管が接続されることとなる接続部材９とを有している。なお、該サドル部材７により分岐管接続用支管２のサドル部が構成される。
【００１６】
前記係止部材６には、下水本管１に設けられた分岐管接続用開口部３の周縁に係止される可動爪４及び固定爪５が設けられている。該係止部材６において該可動爪４及び該固定爪５は、断面略Ｌ字状とされ、それぞれが略水平に差し出された係止板１０を有している。該係止板１０の形状は、下水本管１の分岐管接続用開口部３の周縁部の内周面の形状に沿ったアーチ形状とされている。そして、該可動爪４は、その上部側面から一対の枢着ピン１１が突設されており、該枢着ピン１１を介して該係止部材６に回動可能に枢着されている。一方、該固定爪５は、該係止部材６に一体的に設けられている。また、該係止部材６の内周面であって、該可動爪４及び該固定爪５の係止板１０の上方には、下方へ向けて縮径したテーパー状の当接段部１３が設けられている。
なお、本実施例において該可動爪４及び該固定爪５は、該分岐管接続用開口部３に係止された際には下水本管１の管軸方向に並ぶように配置される。
【００１７】
前記サドル部材７の下部には、略水平に差し出された一対のサドル板１４，１４が設けられている。該サドル板１４は硬質の塩化ビニル樹脂で構成されており、後述の止水用ゴムシート４０のゴムシート表面４０Ａに当接する下向きの接触面１５は、下水本管１の外周面に沿った湾曲形状とされている。また、該サドル板１４の上向きの周面にはリブ７Ａが設けられており、該サドル板１４の剛性、強度等が確保されている。
また、該サドル部材７の上部内周面には当接段部１６が設けられており、さらに該サドル部材７の上端の内周面には環状係合爪１７が突設されている。
【００１８】
前記接続部材９の下部には、フランジ部２１を介して挿入部１８が設けられている。また該フランジ部２１の下部には下向きの段面２３が形成されており、該段面２３に沿ってリング状のパッキン２４が嵌着されている。また、該段面２３の下方には、係止段部２２が形成されている。さらに、該挿入部１８の下端部には、該挿入部１８の先端方向に縮径したテーパー状の当接部２０が設けられている。
さらに該接続部材９の外周には左右一対の折り畳み可能な把手２５が取り付けられている。また、該接続部材９の上部には分岐管が差し込まれるゴム輪受口８が設けられており、該ゴム輪受口８の内周面には分岐管の周面に当接するゴム輪３１が装着されている。
【００１９】
加えて、該接続部材９において、該係止段部２２にはリング状の押圧部材２６が嵌着される。図２に示すように該押圧部材２６は断面略Ｌ字状とされており、該接続部材９の挿入部１８に外挿され、該パッキン２４を介して該接続部材９の段面２３に該押圧部材２６の上周面２７が当接し、かつ該接続部材９の係止段部２２に該押圧部材２６の内側上周面３０が当接している。
さらに該押圧部材２６には、前記サドル部材７の当接段部１６と係止部材６の上端６Ａとが当接する下周面２８が設定されている。
【００２０】
本発明にかかる止水用ゴムシート４０について図３等を用いて説明する。
該止水用ゴムシート４０は、図１に示すように、該下水本管１の外周面と、該サドル部材７におけるサドル板１４との間に介装されて使用される。該止水用ゴムシート４０の材料は、天然ゴム又は合成ゴムなどのゴム材料が採用され、全体として略馬鞍状に成形されている。
【００２１】
図３等に示すように、該止水用ゴムシート４０の略中央には、略矩形状のゴムシート開口部４３が形成されている。また、図６，７に示すように、該止水用ゴムシート４０において下水本管１の外周面に接触するゴムシート裏面４０Ｂには、該下水本管１の環状リブ１Ａを嵌着するためのリブ溝４１が多数並設されている。
また、該ゴムシート裏面４０Ｂには、上記ゴムシート開口部４３を囲繞するように、一条の止水用突条４２が設けられている。該止水用突条４２は、図１０に示すように、該止水用ゴムシート４０が上記下水本管１に被着された状態で、該止水用突条４２の先端縁が該下水本管１の外周面に圧接するものであり、さらに図８に示すように、該止水用突条４２の突出方向Ｌは、該止水用ゴムシート４０が該下水本管１に被着された状態で該下水本管１の外周面に直交する方向に設定されている。
【００２２】
また、該ゴムシート裏面４０Ｂにおいて、該リブ溝４１と該止水用突条４２とが交差する部位においては該リブ溝４１内にも溝壁に沿って該止水用突条４２が設けられており、該リブ溝４１に該環状リブ１Ａが嵌着された際に該環状リブ１Ａに該止水用突条４２の先端縁が圧接するように設定されている。
また、図６に示すように、互いに交差している該リブ溝４１と該止水用突条４２とが該ゴムシート裏面４０Ｂ側から見た際に直交状となるように設定されている。
【００２３】
さらに、上記したリブ溝４１のうち、該止水用ゴムシート４０が該下水本管１に被着された状態で該下水本管１の管軸方向において両端に位置する一対のリブ溝４１Ａ，４１Ａが、該止水用突条４２の外側に配置されるように設定されている。
【００２４】
一方、図８に示すように、該ゴムシート裏面４０Ｂとは反対にあり、サドル部材７と接触するゴムシート表面４０Ａには、一条の補助突条４５が該ゴムシート開口部４３を囲繞するように設けられている。該補助突条４５は、該止水用突条４２の突出方向Ｌにおいて該止水用突条４２の真裏位置に配置され、かつ該止水用突条４２の突出方向Ｌとは反対の方向に突出している。
【００２５】
また、該ゴムシート表面４０Ａは、両端のリブ溝４１Ａ，４１Ａに沿って設けられた両端リブ溝位置合わせ用目印４６，４６が溝状に設けられている。さらに、該ゴムシート表面４０Ａには、図３に示すように、該止水用ゴムシート４０が該下水本管１に適正に被着された状態で該下水本管１の中央に設けられた管軸に沿う標線１Ｂ（図９ｃ参照）に適合する標線位置合わせ用目印４７も設けられている。
さらに、該ゴムシート開口部４３における該下水本管１の管軸に平行な一対の周縁にも、該下水本管１のリブ溝４１の位置に適合するリブ溝位置合わせ用目印４８が溝状に複数設けられている。
上記の位置合わせ用目印４６，４７，４８の形状等は、その他の構成であってもよく、凸状としてもよいし、マーカーで表示するようにしてもよいし、また線状でもあってもよいし点状であってもよい。
【００２６】
これまでに述べた構成において、該下水本管１に該分岐管接続用支管２を接続するには、まず、該下水本管１に該止水用ゴムシート４０を被着する。
このとき、図９ａに示すように、該下水本管１に設けられた分岐管接続用開口部３と、該止水用ゴムシート４０のゴムシート開口部４３とを連通させるようにしつつ、上記位置合わせ用目印４６，４７，４８を目視しながら、両端リブ溝位置合わせ用目印４６とこれに対応する環状リブ１Ａ、標線位置合わせ用目印４７と標線１Ｂ、リブ溝位置合わせ用目印４８と環状リブ１Ａと、をそれぞれ適合させて、該下水本管１の環状リブ１Ａを該止水用ゴムシート４０の該リブ溝４１，４１Ａにそれぞれ嵌着し、かつ該下水本管１の外周面及び該環状リブ１Ａに該止水用ゴムシート４０の止水用突条４２を圧接させた状態として、図９ｂ，ｃに示すように、該止水用ゴムシート４０を該下水本管１の外周面の適正位置に被着する。
なお、該下水本管１の外周面及び／又は該止水用ゴムシート４０のゴムシート裏面４０Ｂに接合剤を塗布してから該止水用ゴムシート４０を被着してもよい。
【００２７】
そして、次に、分岐管接続用支管２を該下水本管１に接続する。
具体的には、図１１に示すように、例えば一枚のダンボールの板片からなる支管接続用ガイド部材６５を、該分岐管接続用支管２の管端を介して管内に挿入して予め脱着可能に内嵌し、かつ該支管接続用ガイド部材６５の一端を該分岐管接続用支管２の下水本管１側の管端から差し出し、この差し出した差出部６５Ａを該分岐管接続用開口部３に挿入可能な寸法形状としておく。
そして、接続作業時において、図１２に示すように、該支管接続用ガイド部材６５の差出部６５Ａを該分岐管接続用開口部３に挿入しながら、前記サドル部材７のサドル板１４の接触面１５を該止水用ゴムシート４０のゴムシート表面４０Ａ上に当接させ、該分岐管接続用支管２を該下水本管１に対して適正位置に配置する。
該支管接続用ガイド部材６５は、ダンボールに代えて公知の発泡材料等で構成してもよい。また、該支管接続用ガイド部材６５は、二枚の板片を平面視十字状に組み合わせてなるものでもよい。
【００２８】
さらに、図１３に示すように、係止部材６の固定爪５を下水本管１の分岐管接続用開口部３の周縁の内周面に係止させると共に、可動爪４を枢着ピン１１を中心として内側に回動させて、該可動爪４が該分岐管接続用開口部３を通過可能な状態とする。
次いで、該係止部材６の可動爪４を下水本管１の分岐管接続用開口部３を通過させた後、該可動爪４を枢着ピン１１を中心として外側に回動させて、該可動爪４を該分岐管接続用開口部３の周縁の内周面に係止させる。その後、把手２５を手掛かりとしながら接続部材９の挿入部１８の当接部２０を、係止部材６の当接段部１３に当接させ、かつ接続部材９のフランジ部２１とサドル部材７の環状係合爪１７とを係合させ、さらに押圧部材２６の下周面２８に前記サドル部材７の当接段部１６と係止部材６の上端６Ａとを当接させる。そうすると、可動爪４の上部も、接続部材９の挿入部１８の外周面とサドル部材７の内周面とによって挟持され、該可動爪４の回動が阻止され、該可動爪４が分岐管接続用開口部３を通過不可能とされる。
これにより、分岐管接続用支管２が確実に該下水本管１に接続されることとなり、該サドル部材７のサドル板１４の接触面１５と該下水本管１の外周面との間に該止水用ゴムシート４０が介装される（図１参照）。また、このような介装状態にあっては、該止水用ゴムシート４０の補助突条４５の先端縁が該サドル板１４の接触面１５に圧接し、かつ止水用突条４２の先端縁が該下水本管１の外周面及び環状リブ１Ａに圧接し、水密状態が確保される。
なお、上記支管接続用ガイド部材６５は、不要となった時点で該分岐管接続用支管２から取り出して廃棄等してよい。
【００２９】
ここで、該下水本管１と該分岐管接続用支管２との接続構造６０においては、図１４に示すように、該サドル部材７のサドル板１４の接触面１５の曲率半径Ｒ１が、該下水本管１の外周面に被着されて湾曲状態にある該止水用ゴムシート４０のゴムシート表面４０Ａの曲率半径Ｒ２よりも小さくなるように設定されている。かかる構成とすることにより、該サドル板１４が、該止水用ゴムシート４０に強く食い込みながら当接することとなり、該止水用ゴムシート４０のシール性がより一層向上する。
【００３０】
なお、上記止水用ゴムシート４０に代えて、図１５等に示す止水用ゴムシート５０を用いてもよい。具体的には、該止水用ゴムシート５０は、平面視略円形状とされており、中央に略円形のゴムシート開口部５３が形成されている。また、該止水用ゴムシート５０のゴムシート裏面５０Ｂには、該ゴムシート開口部５３を囲繞するように止水用突条５２が一条設けられている。
また、ゴムシート裏面５０Ｂには、リブ溝５１が多数並設されていると共に、該リブ溝５１のうち、該止水用ゴムシート５０が該下水本管１に被着された状態で該下水本管１の管軸方向において両端に位置するリブ溝５１Ａ，５１Ａは、該止水用突条５２の外側に配置されている。
さらに、ゴムシート表面５０Ａには、補助突条５５が設けられ、さらに標線位置合わせ用目印５７、及びリブ溝位置合わせ用目印５８が設けられている。
【００３１】
また本発明は、上記実施形態に限定されず、本発明の主旨を逸脱しない範囲で適宜設計変更することができる。例えば、該止水用ゴムシート４０，５０の外観形状は適宜変更可能である。また、下水本管１と分岐管接続用支管２との接続構造は適宜変更可能である。
また、上記した補助突条４５，５５が設けられていない止水用ゴムシート４０，５０を用いてもよい。
また、該サドル板１４の接触面１５の曲率半径Ｒ１と、止水用ゴムシート４０、５０のゴムシート表面４０Ａ，５０Ａの曲率半径Ｒ２とが等しくなるように設定されていてもよい。
また、上記した分岐管接続用支管２は、いわゆる回転取付型支管であるが、その他の型の支管であってもよい。例えば、番線を用いて下水本管に固定するような公知の分岐管接続用支管であってもよい。
【符号の説明】
【００３２】
１                            下水本管（本管）
１Ａ                          環状リブ
１Ｂ                          標線
２                            分岐管接続用支管
３                            分岐管接続用開口部
４０，５０                    止水用ゴムシート
４０Ａ，５０Ａ                ゴムシート表面（止水用ゴムシートの表面）
４０Ｂ，５０Ｂ                ゴムシート裏面（止水用ゴムシートの裏面）
４１，４１Ａ，５１，５１Ａ    リブ溝
４６，４８，５８              リブ溝位置合わせ用目印
４７，５７                    標線位置合わせ用目印
６５                          支管接続用ガイド部材
６５Ａ                        差出部
【図１】
0005508102.tif 000002
【図２】
0005508102.tif 000003
【図３】
0005508102.tif 000004
【図４】
0005508102.tif 000005
【図５】
0005508102.tif 000006
【図６】
0005508102.tif 000007
【図７】
0005508102.tif 000008
【図８】
0005508102.tif 000009
【図９】
0005508102.tif 000010
【図１０】
0005508102.tif 000011
【図１１】
0005508102.tif 000012
【図１２】
0005508102.tif 000013
【図１３】
0005508102.tif 000014
【図１４】
0005508102.tif 000015
【図１５】
0005508102.tif 000016
【図１６】
0005508102.tif 000017